(57)【要約】      （修正有）【課題】小指、薬指でしっかりとバット等を把持した際に、小指側の手の甲の側面部分が大きく膨らんでも、この膨らみに手袋の甲部分が追随し、素手で握った場合と同様のフィット感、グリップ感が得られるスポーツ用手袋を提供する。【解決手段】天然皮革、人工皮革や合成皮革といった伸びの少ない素材によって手袋を形成する場合に、少なくとも手甲部の小指外転筋９を覆う領域に、ストレッチ素材１７を配置することにより、小指、薬指でしっかりとバット等を把持した際に、小指側の手の甲の側面部分が大きく膨らんでも、この膨らみに追随して小指外転筋９を覆う領域に配置したストレッチ素材１７が伸び、素手で握った場合と同様のフィット感、グリップ感が得られるようにした。【選択図】図２
2013255748.tif 000002
【特許請求の範囲】
【請求項１】
ストレッチ素材を部分的に配置した天然皮革、人工皮革又は合成皮革からなるスポーツ用手袋において、前記ストレッチ素材を少なくとも手の甲部の小指外転筋を覆う領域に配置したことを特徴とするスポーツ用手袋。
【請求項２】
前記手の甲部の小指外転筋を覆う領域以外に、手の甲部の第一中手骨と第二中手骨間の背側骨間筋を覆う領域にも、ストレッチ素材を配置した請求項１記載のスポーツ用手袋。
【請求項３】
前記手の甲部の小指外転筋を覆う領域以外に、手の第二中手骨〜第五中手骨の骨頭関節部を覆う領域にも、ストレッチ素材を配置したことを特徴とする請求項１記載のスポーツ用手袋。
【請求項４】
前記手の甲部の小指外転筋を覆う領域と、手の甲部の第一中手骨と第二中手骨間の背側骨間筋を覆う領域以外に、手の第二中手骨〜第五中手骨の骨頭関節部を覆う領域にも、ストレッチ素材を配置した請求項２記載のスポーツ用手袋。
【請求項５】
前記手の第二中手骨〜第五中手骨の骨頭関節部を覆う領域に配置したストレッチ素材が、各指の中節骨まで達する長さに形成されている請求項４記載のスポーツ用手袋。
【請求項６】
前記甲部の親指側にスリット形状の履き口を形成したことを特徴とする請求項１〜請求項５のいずれかに記載のスポーツ用手袋。
【発明の詳細な説明】
【技術分野】
【０００１】
この発明は、野球やゴルフなど、バットやクラブを握る際に使用するスポーツ用手袋に関するものである。
【背景技術】
【０００２】
バットを握る際に使用するバッティング用手袋は、スイング時に、手とバットが滑らないようにするためのものであり、天然皮革、人工皮革や合成皮革によって形成されている。
【０００３】
このようなスポーツ用手袋は、手とのフィット感や把持時におけるグリップ感の良好なものが当然ながら好まれる。
【０００４】
スポーツ用手袋におけるフィット感やグリップ感は、プロ選手といった上級者ほど要求性能が高い。
【０００５】
ところで、天然皮革、人工皮革や合成皮革といった素材は、柔軟性に富むが、伸びの少ない材料であるから、バットやクラブを握った際に、手袋の生地が手の伸びに追随せず、フィット感やグリップ感に違和感が生じやすい。
【０００６】
従来、天然皮革、人工皮革や合成皮革といった素材の伸びを補助するために、指関節部分などの曲げが大きい部分に、ストレッチ素材を部分的に配置して手とのフィット感を向上させた手袋がある（特許文献１、特許文献２）。
【先行技術文献】
【特許文献】
【０００７】
【特許文献１】特開２００７−３２５８７３号公報
【特許文献２】特開２００７−１４３８３１号公報
【発明の概要】
【発明が解決しようとする課題】
【０００８】
ところで、野球に限らず打具やそれに類似する棒状のものを把持するスポーツの場合、小指、薬指でしっかりと握るということが重要とされている。
【０００９】
しかしながら、従来のスポーツ用手袋を着用して小指、薬指でしっかりとバット等を把持した場合、小指側の手の甲の側面部分が大きく膨らみ、この膨らみに手袋が追随できず、素手で握ったようなフィット感を得ることができなかった。
【００１０】
また、従来のスポーツ用手袋は、伸びの少ない天然皮革、人工皮革や合成皮革といった素材によって形成されているため、着脱を容易にするために、スリット形状の履き口を手の甲の小指側に設けている場合が多い。
【００１１】
このように、スリット形状の履き口を手の甲の小指側に設けた場合には、履き口の縫い目が手とのフィット性をさらに低下させるという問題があった。
【００１２】
そこで、この発明は、小指、薬指でしっかりとバット等を把持した際に、小指側の手の甲の側面部分が大きく膨らんでも、この膨らみに手袋の甲部分が追随し、素手で握った場合と同様のフィット感、グリップ感が得られるスポーツ用手袋を提供することを課題とするものである。
【課題を解決するための手段】
【００１３】
この発明の発明者らは、小指、薬指でしっかりとバット等を把持した際における手の歪み状態を非接触型歪み分布測定器を用いて調査したところ、小指側の手の甲の側面部分に大きな歪みが生じ、この歪みによって手袋のフィット感、グリップ感が阻害されるという知見を得た。
【００１４】
この知見に基づき、この発明者らは、天然皮革、人工皮革や合成皮革といった伸びの少ない素材によって手袋を形成する場合に、少なくとも手甲部の小指外転筋を覆う領域に、ストレッチ素材を配置することにより、小指、薬指でしっかりとバット等を把持した際に、小指側の手の甲の側面部分が大きく膨らんでも、この膨らみに追随して小指外転筋を覆う領域に配置したストレッチ素材が伸び、素手で握った場合と同様のフィット感、グリップ感が得られるということを見出した
のである。
【００１５】
前記ストレッチ素材は、小指外転筋を覆う領域以外にも、手甲部の第一中手骨と第二中手骨間の背側骨間筋を覆う領域、手の第二〜第五中手骨の骨頭関節部を覆う領域などに配置してもよい。
【００１６】
スリット形状の履き口は、甲部の小指側ではなく親指側に設けるのが好ましい。
【発明の効果】
【００１７】
この発明に係るスポーツ用手袋は、少なくとも手甲部の小指外転筋を覆う領域に、ストレッチ素材を配置することにより、小指、薬指でしっかりとバット等を把持した際に、小指側の手の甲の側面部分が大きく膨らんでも、この膨らみに追随して小指外転筋を覆う領域に配置したストレッチ素材が伸びるので、素手で握った場合と同様のフィット感、グリップ感が得られる。
【図面の簡単な説明】
【００１８】
【図１】手の骨格図である。
【図２】この発明に係るスポーツ用手袋の第一の実施形態を甲側から見た平面図である。
【図３】この発明に係るスポーツ用手袋の第二の実施形態を甲側から見た平面図である。
【図４】この発明に係るスポーツ用手袋の第三の実施形態を甲側から見た平面図である。
【図５】この発明に係るスポーツ用手袋の第四の実施形態を甲側から見た平面図である。
【図６】この発明に係るスポーツ用手袋の第五の実施形態を甲側から見た平面図である。
【発明を実施するための形態】
【００１９】
図１は、手の骨格図であり、図２〜図６の実施形態には、図１の骨格図を破線で示している。図１の骨格図において、符号１は第一中手骨、２は第二中手骨、３は第三中手骨、４は第四中手骨、５は第五中手骨、６は各指の基節骨、７は各指の中節骨、８は各指の末節骨、９は小指外転筋、１０は背側骨間筋である。
【００２０】
図２に示すスポーツ用手袋は、手の甲を覆う甲部１１、手の掌を覆う掌部１２、指袋部１３（親指袋部１３ａ、人指し指袋部１３ｂ、中指袋部１３ｃ、薬指袋部１３ｄ、小指袋部１３ｅ）を備える。
【００２１】
甲部１１には、親指側にスリット形状の履き口１４が形成され、この履き口１４の両側から手首を囲うようにリストバンド部１５が設けられている。
【００２２】
また、リストバンド部１５の親指側の端部には、係止ベルト１６が設けられ、この係止ベルト１６の裏面と、リストバンド部１５の甲側に、雌雄の面ファスナーを設け、係止ベルト１６によってリストバンド部１５を手首にしっかりと固定できるようにしている。
【００２３】
小指外転筋９を覆う領域を除く甲部１１、掌部１２、指袋部１３は、天然皮革、人工皮革又は合成皮革といった伸びの少ない柔軟な素材によって形成され、甲部１１の小指外転筋９を覆う領域は、天然皮革、人工皮革又は合成皮革よりも伸びやすい、スパンデックス素材や編物等のストレッチ素材１７によって形成されている。
【００２４】
図２において、天然皮革、人工皮革又は合成皮革は、薄墨で表し、ストレッチ素材１７は網目模様で表している。
【００２５】
また、リストバンド部１５は、ゴム糸あるいはスパンデックス等の弾性糸を織り込んだ弾性布地によって形成している。
【００２６】
図２の実施形態のスポーツ用手袋は、手甲部の小指外転筋９を覆う領域をストレッチ素材１７によって形成しているので、それ以外の部分が天然皮革、人工皮革又は合成皮革といった伸びの少ない柔軟な素材によって形成されていても、小指、薬指でしっかりとバット等を把持した際に、小指側の手の甲の側面部分が大きく膨らんでも、この膨らみに追随して小指外転筋９を覆う領域に配置したストレッチ素材１７が伸びるので、素手で握った場合と同様のフィット感、グリップ感が得られる。
【００２７】
次に、図３の実施形態のスポーツ用手袋は、手甲部の小指外転筋９を覆う領域以外に、手甲部の第一中手骨１と第二中手骨２間の背側骨間筋１０を覆う領域にも、ストレッチ素材１７を配置してあるので、バット等を把持した際に生じる手の甲の親指側部分の膨らみにも手袋の甲部分が追随するので、より優れたフィット感、グリップ感が得られる。
【００２８】
次に、図４の実施形態のスポーツ用手袋は、手甲部の小指外転筋９を覆う領域以外に、手の第二中手骨２〜第五中手骨５の骨頭関節部を覆う領域にも、ストレッチ素材１７を配置してあるので、手の第二中手骨２〜第五中手骨５の骨頭関節部が曲げ易い。
【００２９】
次に、図５に示す実施形態のスポーツ用手袋は、手甲部の小指外転筋９を覆う領域と、手甲部の第一中手骨１と第二中手骨２間の背側骨間筋１０を覆う領域、さらに、手の第二中手骨２〜第五中手骨５の骨頭関節部を覆う領域にも、ストレッチ素材１７を配置している。
【００３０】
したがって、この図５に示す実施形態のスポーツ用手袋は、手の第二中手骨２〜第五中手骨５の骨頭関節部が曲げ易く、しかもバット等を把持した際に生じる小指側の手の甲の側面部分の膨らみと手の甲の親指側部分の膨らみに、手袋の甲部分が追随するので、より優れたフィット感、グリップ感が得られる。
【００３１】
次に、図６に示す実施形態のスポーツ用手袋は、図５に示す実施形態のスポーツ用手袋における手の第二中手骨２〜第五中手骨５の骨頭関節部を覆う領域に配置したストレッチ素材１７をさらに、各指の中節骨７まで達する長さに形成しているので、各指の中節骨７の骨頭関節部もより曲げ易くなっている。
【００３２】
なお、図２〜図６の実施形態では、甲部１１の親指側にスリット形状の履き口１４を形成しているので、手袋を着用して小指、薬指でしっかりとバット等を把持しても、履き口１４の縫い目によって小指側のフィット性を低下させるということがない。また、図２〜図６の実施形態では、ストレッチ素材１７は、少なくとも手の甲部の小指外転筋を覆う領域に配置されていればよく、分断されていてもよいが、連続して配置されていることが好ましい。
【符号の説明】
【００３３】
１  第一中手骨
２  第二中手骨
３  第三中手骨
４  第四中手骨
５  第五中手骨
６  基節骨
７  中節骨
８  末節骨
９  小指外転筋
１０  背側骨間筋
１１  甲部
１２  掌部
１３  指袋部
１４  履き口
１５  リストバンド部
１６  係止ベルト
１７  ストレッチ素材
【図１】
2013255748.tif 000003
【図２】
2013255748.tif 000004
【図３】
2013255748.tif 000005
【図４】
2013255748.tif 000006
【図５】
2013255748.tif 000007
【図６】
2013255748.tif 000008